(57)【要約】【課題】大きな傷または欠陥を持ったディスクを再生する際にディスク読み取りエラーの低減を図ることができる光ディスク再生装置を提供する。【解決手段】マスクＷＩＮＤＯＷ内で前記同期信号が未検出の場合に同期信号の内挿を行う同期信号内挿回路１６と、カウンタ１７からの同期信号の未検出回数によりマスクＷＩＮＤＯＷの生成条件を制御し、かつ外部からのＷＩＮＤＯＷ条件変更制御信号２０４に基づいてＷＩＮＤＯＷを生成する際の同期信号未検出回数の条件を変更するＷＩＮＤＯＷ制御信号生成回路１８の制御によりマスクＷＩＮＤＯＷ幅を可変させるＷＩＮＤＯＷ生成回路１９とを備えるようにすることにより、同期検出の保護を行っているマスクＷＩＮＤＯＷ幅を変化させる連続同期未検出回数の条件を任意の値に設定し、同期検出時に同期信号検出する信号自体に異常であることが判明した場合は同期検出を止め、内挿の同期信号のみを使用するようにした。【選択図】  図１（ａ）
2005228422.tif 000002
【特許請求の範囲】
【請求項１】
マスクＷＩＮＤＯＷ内でのみディスク再生信号の同期信号を検出する同期信号検出回路と、
前記同期信号検出回路で前記同期信号が未検出の場合に同期信号の内挿を行う同期信号内挿回路と、
前記同期信号の未検出回数をカウントするカウンタと、
前記カウンタからの同期信号の未検出回数によりマスクＷＩＮＤＯＷの生成条件を制御し、かつ外部からのＷＩＮＤＯＷ条件変更制御信号に基づいてＷＩＮＤＯＷを生成する際の同期信号未検出回数の条件を変更するＷＩＮＤＯＷ制御信号生成回路と、
前記ＷＩＮＤＯＷ制御信号生成回路の制御によりマスクＷＩＮＤＯＷ幅を可変させるＷＩＮＤＯＷ生成回路とを備えた、
ことを特徴とする光ディスク再生装置。
【請求項２】
同期信号の引き込み後ＲＦ信号の欠落信号を検出した際に同期信号の検出を止めるマスクＷＩＮＤＯＷ内でのみディスク再生信号の同期信号を検出する同期信号検出回路と、
前記同期信号検出回路で同期信号が未検出の場合に同期信号の内挿を行う同期信号内挿回路と、
前記同期信号検出回路の同期信号の未検出回数をカウントするカウンタと、
前記カウンタからの同期信号未検出回数によってマスクＷＩＮＤＯＷ生成条件を制御するＷＩＮＤＯＷ制御信号生成回路と、
前記ＷＩＮＤＯＷ制御信号生成回路の制御によりマスクＷＩＮＤＯＷ幅を可変させるＷＩＮＤＯＷ生成回路とを備えた、
ことを特徴とする光ディスク再生装置。
【請求項３】
同期信号の引き込み後ＲＦ信号の未検出信号を検出した際に同期信号の検出を止めるマスクＷＩＮＤＯＷ内でのみディスク再生信号の同期信号を検出する同期信号検出回路と、
前記同期信号検出回路で同期信号が未検出の場合に同期信号の内挿を行う同期信号内挿回路と、
前記同期信号検出回路の同期信号の未検出回数をカウントするカウンタと、
前記カウンタからの同期信号未検出回数によってマスクＷＩＮＤＯＷ生成条件を制御するＷＩＮＤＯＷ制御信号生成回路と、
前記ＷＩＮＤＯＷ制御信号生成回路の制御によりマスクＷＩＮＤＯＷ幅を可変させるＷＩＮＤＯＷ生成回路とを備えた、
ことを特徴とする光ディスク再生装置。
【請求項４】
ディスク再生信号に同期した抽出クロックのジッタを検出するジッタ検出回路と、
前記ジッタ検出回路で検出されたジッタ値により同期信号検出制御信号を生成する同期信号検出制御信号生成回路と、
同期信号の引き込み後前記同期信号検出制御信号によって同期信号の検出を止めるディスク再生信号の同期信号を検出する同期信号検出回路と、
前記同期信号検出回路で同期信号が未検出の場合に同期信号の内挿を行う同期信号内挿回路と、
前記同期信号検出回路からの同期信号の未検出回数をカウントするカウンタと、
前記カウンタからの同期信号未検出回数によってマスクＷＩＮＤＯＷ生成条件を制御するＷＩＮＤＯＷ制御信号生成回路と、
前記ＷＩＮＤＯＷ制御信号生成回路の制御によりマスクＷＩＮＤＯＷ幅を可変させるＷＩＮＤＯＷ生成回路とを備えた、
ことを特徴とする光ディスク再生装置。
【請求項５】
請求項１記載の光ディスク再生装置において、
ＲＦ信号の欠落信号の幅を検出する欠落信号幅測定回路と、
前記欠落信号幅測定回路で検出された欠落信号幅により、ＷＩＮＤＯＷを生成する際の同期信号未検出回数の条件を制御する信号を生成するＷＩＮＤＯＷ条件変更制御回路と、
前記同期信号検出回路に入力されるディスク再生信号を遅延させる遅延回路とをさらに備えた、
ことを特徴とする光ディスク再生装置。
【請求項６】
請求項１記載の光ディスク再生装置において、
ＲＦ信号の未検出信号の幅を検出するＲＦ未検出信号幅測定回路と、
前記ＲＦ未検出信号幅測定回路で検出されたＲＦ未検出信号幅により、ＷＩＮＤＯＷを生成する際の同期信号未検出回数の条件を制御する信号を生成するＷＩＮＤＯＷ条件変更制御回路と、
前記同期信号検出回路に入力されるディスク再生信号を遅延させる遅延回路とをさらに備えた、
ことを特徴とする光ディスク再生装置。
【請求項７】
請求項１記載の光ディスク再生装置において、
ディスク再生信号に同期した抽出クロックのジッタを検出するジッタ検出回路と、
前記ジッタ検出回路で検出されたジッタ値により、ＷＩＮＤＯＷを生成する際の同期信号未検出回数の条件を制御する信号を生成するＷＩＮＤＯＷ条件変更制御回路と、
前記同期信号検出回路に入力されるディスク再生信号を遅延させる遅延回路とをさらに備えた、
ことを特徴とする光ディスク再生装置。
【請求項８】
請求項２記載の光ディスク再生装置において、
ＲＦ信号の欠落信号の幅を検出する欠落信号幅測定回路と、
前記欠落信号幅測定回路で検出された信号幅により前記同期信号検出回路の同期信号の検出を止める制御信号を生成する同期検出制御信号生成回路と、
前記同期信号検出回路に入力されるディスク再生信号を遅延させる遅延回路とをさらに備えた、
ことを特徴とする光ディスク再生装置。
【請求項９】
請求項３記載の光ディスク再生装置において、
ＲＦ信号の未検出信号の幅を検出するＲＦ未検出信号幅測定回路と、
前記ＲＦ未検出信号幅測定回路で検出された信号幅により前記同期信号検出回路の同期信号の検出を止める制御信号を生成する同期検出制御信号生成回路と、
前記同期信号検出回路に入力されるディスク再生信号を遅延させる遅延回路とをさらに備えた、
ことを特徴とする光ディスク再生装置。
【発明の詳細な説明】
【技術分野】
【０００１】
本発明は、ＣＤプレーヤー、ＣＤ−ＲＯＭドライブ、ＤＶＤプレーヤー、ＤＶＤ−ＲＯＭドライブ、ＭＤプレーヤー等のディスク再生装置に関するものである。
【背景技術】
【０００２】
図１０は、従来の光ディスク再生装置の構成図である。
図１０において、１６０はＣＤ、ＤＶＤ等の光ディスクであり、スピンドルモータ１６１によって回転駆動されている。
【０００３】
そしてピックアップ１６２では、光ディスク１６０にレーザー照射するとともに光ディスクからの戻り光を検出し、電圧値に変換して出力する。この出力をＲＦアンプ１６３で増幅した後、データスライサ１６４で２値化することにより、光ディスク再生信号に記録された情報をディスク再生信号として復元する。
【０００４】
また、後段での訂正処理等を行うには、ディスク再生信号に同期した抽出クロックが必要であり、ＰＬＬ回路１６Ａが抽出クロックを生成する。
【０００５】
さらにディスク再生信号には、各データのフレーム毎の先頭を示す他のデータ部には含まれない特異なビットパターンとしてフレーム同期信号が含まれている。例えば、ＣＤにおいては、単位長を１Ｔとして表すと１１Ｔ−２Ｔ−１１Ｔというビットパターンが、フレーム同期信号として含まれている。このフレーム同期信号２０１の検出を、同期信号検出回路１６５で行っている。ただし、光ディスク１６０に傷等の影響で、同期信号検出回路１６５で検出されたフレーム同期信号２０１は、本来検出されるべきフレーム同期信号に対して、信号の欠落やディスクの欠陥等により擬似のフレーム同期信号を検出する場合がある。そのため、後段の訂正処理等にフレーム同期信号を用いるためには、フレーム同期信号自体の保護、内挿を行うことでフレーム信号の信頼性を高める必要がある。
【０００６】
同期信号検出回路１６５では、フレーム同期信号２０１の保護を行うため、同期信号検出にマスクＷＩＮＤＯＷを設け、ＷＩＮＤＯＷの外で検出されたフレーム同期信号パターンは無視するように行っている。マスクＷＩＮＤＯＷは、ＷＩＮＤＯＷ生成回路１６８で発生させる。
【０００７】
フレーム同期信号２０１は、一定の周期で光ディスクに記録されている（ＣＤでは抽出クロック５８８個毎に同期信号が存在する）ため、ＷＩＮＤＯＷ生成回路１６８では、抽出クロックをカウントし、フレーム同期信号２０１が発生される周期のタイミング前後でＷＩＮＤＯＷを発生されることで、フレーム同期信号２０１の保護を行っている。
【０００８】
図１１は、従来の光ディスク再生装置のタイミングチャートであり、同期ロック状態（ａ）、第１の指定フレーム非検出の状態（ｂ）、第２の指定フレーム非検出の状態（ｃ）での、マスクＷＩＮＤＯＷを拡げるタイミングを示す。
【０００９】
図１１（ａ）に示すように、同期ロック状態では、マスクＷＩＮＤＯＷ内でフレーム同期信号２０１が検出され、マスクＷＩＮＤＯＷ外で誤検出されたフレーム同期信号は無視される。また、マスクＷＩＮＤＯＷ内でフレーム同期信号２０１が非検出の場合、内挿の同期信号２０５を発生させる。
【００１０】
次に図１１（ｂ）に示すように、ＷＩＮＤＯＷ内でフレーム同期信号２０１が検出されない場合、フレーム同期信号２０１が検出できなかった回数を同期未検出回数カウンタ１６７でカウントし、未検出回数が第１の指定フレーム以上連続した場合、同期位相ずれが大きいと判断し、ＷＩＮＤＯＷを拡げることで、フレーム同期信号２０１をとりこむ。
【００１１】
さらに図１１（ｃ）に示すように、マスクＷＩＮＤＯＷ内でのフレーム同期信号未検出が第１の指定フレームより大きい第２の指定フレーム以上連続した場合、トラックジャンプ等による同期はずれと判断し、ＷＩＮＤＯＷを全開にし、フレーム同期信号２０１を検出する。
【００１２】
次にフレーム同期信号２０１が検出できなかった場合、同期信号内挿回路１６６において、前のタイミングで検出されたフレーム同期信号２０１から、抽出クロックをカウントし、フレーム同期信号が発生するタイミングで、フレーム同期信号を内挿で発生させ、後段の訂正処理等に内挿後のフレーム同期信号２０５を使用する。次に内挿後のフレーム同期信号２０５を後段の訂正処理にフレームカウント信号２１１として用いるため、第１の指定周期以下のフレーム同期信号を擬似同期信号とみなし、擬似同期信号除去フィルタ１６９で擬似同期信号の除去を行い、フレーム同期信号の信頼性を高めている。以上のフレーム同期信号の内挿、保護を行い、信号の信頼性を高めることで、ディスク再生信号の読み取りエラーを減らしている（例えば、特許文献１参照。）。
【特許文献１】特開２０００−３５５０号公報（第１図）
【発明の開示】
【発明が解決しようとする課題】
【００１３】
しかしながら、従来の光ディスク再生装置では、第２の指定フレーム以上の大きい傷等を持った光ディスクを再生した場合、その傷により、必ずＷＩＮＤＯＷを全開にした状態でフレーム同期信号を検出するため、内挿後のフレーム同期信号は内挿したフレーム同期信号と、ＷＩＮＤＯＷ全開で検出した擬似のフレーム同期信号の両方を内挿後のフレーム同期信号として発生させてしまうことにより、実際のフレーム同期信号より多い数のフレーム同期信号を発生させるという問題があった。
【００１４】
また、擬似のフレーム同期信号は擬似同期信号除去フィルタ１６９で除去されてしまうため、内挿後のフレーム同期信号２０５と訂正処理用に用いるフレームカウント信号２１１とでフレーム数に違いが発生してしまうことで、後段の訂正処理が誤訂正となり、ディスク再生信号の読み取りエラーとなってしまうという問題があった。
【００１５】
そこで本発明は、上記のような従来の問題点を解決するためになされたもので、第２の指定フレーム以上の大きい傷等を持った光ディスク再生時においても、信頼性の高いフレーム同期信号を検出、内挿、保護することで、ディスク読み取りエラーの増加を抑制することができる光ディスク再生装置を得ることを目的とする。
【課題を解決するための手段】
【００１６】
上記課題を解決するために、本発明の請求項１による光ディスク再生装置は、マスクＷＩＮＤＯＷ内でのみディスク再生信号の同期信号を検出する同期信号検出回路と、前記同期信号検出回路で前記同期信号が未検出の場合に同期信号の内挿を行う同期信号内挿回路と、前記同期信号の未検出回数をカウントするカウンタと、前記カウンタからの同期信号の未検出回数によりマスクＷＩＮＤＯＷの生成条件を制御し、かつ外部からのＷＩＮＤＯＷ条件変更制御信号に基づいてＷＩＮＤＯＷを生成する際の同期信号未検出回数の条件を変更するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えたことを特徴とするものである。
【００１７】
本発明の請求項２による光ディスク再生装置は、同期信号の引き込み後ＲＦ信号の欠落信号を検出した際に同期信号の検出を止めるマスクＷＩＮＤＯＷ内でのみディスク再生信号の同期信号を検出する同期信号検出回路と、前記同期信号検出回路で同期信号が未検出の場合に同期信号の内挿を行う同期信号内挿回路と、前記同期信号検出回路の同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えたことを特徴とするものである。
【００１８】
本発明の請求項３による光ディスク再生装置は、同期信号の引き込み後ＲＦ信号の未検出信号を検出した際に同期信号の検出を止めるマスクＷＩＮＤＯＷ内でのみディスク再生信号の同期信号を検出する同期信号検出回路と、前記同期信号検出回路で同期信号が未検出の場合に同期信号の内挿を行う同期信号内挿回路と、前記同期信号検出回路の同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えたことを特徴とするものである。
【００１９】
本発明の請求項４による光ディスク再生装置は、ディスク再生信号に同期した抽出クロックのジッタを検出するジッタ検出回路と、前記ジッタ検出回路で検出されたジッタ値により同期信号検出制御信号を生成する同期信号検出制御信号生成回路と、同期信号の引き込み後前記同期信号検出制御信号によって同期信号の検出を止めるディスク再生信号の同期信号を検出する同期信号検出回路と、前記同期信号検出回路で同期信号が未検出の場合に同期信号の内挿を行う同期信号内挿回路と、前記同期信号検出回路からの同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えたことを特徴とするものである。
【００２０】
本発明の請求項５による光ディスク再生装置は、請求項１記載の光ディスク再生装置において、ＲＦ信号の欠落信号の幅を検出する欠落信号幅測定回路と、前記欠落信号幅測定回路で検出された欠落信号幅により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えたことを特徴とするものである。
【００２１】
本発明の請求項６による光ディスク再生装置は、請求項１記載の光ディスク再生装置において、ＲＦ信号の未検出信号の幅を検出するＲＦ未検出信号幅測定回路と、前記ＲＦ未検出信号幅測定回路で検出されたＲＦ未検出信号幅により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えたことを特徴とするものである。
【００２２】
本発明の請求項７による光ディスク再生装置は、請求項１記載の光ディスク再生装置において、ディスク再生信号に同期した抽出クロックのジッタを検出するジッタ検出回路と、前記ジッタ検出回路で検出されたジッタ値により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えたことを特徴とするものである。
【００２３】
本発明の請求項８による光ディスク再生装置は、請求項２記載の光ディスク再生装置において、ＲＦ信号の欠落信号の幅を検出する欠落信号幅測定回路と、前記欠落信号幅測定回路で検出された信号幅により前記同期信号検出回路の同期信号の検出を止める制御信号を生成する同期検出制御信号生成回路と、前記同期信号検出回路に入力されるディスク再生信号を遅延させる遅延回路とをさらに備えたことを特徴とするものである。
【００２４】
本発明の請求項９による光ディスク再生装置は、請求項３記載の光ディスク再生装置において、ＲＦ信号の未検出信号の幅を検出するＲＦ未検出信号幅測定回路と、前記ＲＦ未検出信号幅測定回路で検出された信号幅により前記同期信号検出回路の同期信号の検出を止める制御信号を生成する同期検出制御信号生成回路と、前記同期信号検出回路に入力されるディスク再生信号を遅延させる遅延回路とをさらに備えたことを特徴とするものである。
【発明の効果】
【００２５】
本発明請求項１の光ディスク再生装置によれば、マスクＷＩＮＤＯＷ内でのみディスク再生信号の同期信号を検出する同期信号検出回路と、前記同期信号検出回路で前記同期信号が未検出の場合に同期信号の内挿を行う同期信号内挿回路と、前記同期信号の未検出回数をカウントするカウンタと、前記カウンタからの同期信号の未検出回数によりマスクＷＩＮＤＯＷの生成条件を制御し、かつ外部からのＷＩＮＤＯＷ条件変更制御信号に基づいてＷＩＮＤＯＷを生成する際の同期信号未検出回数の条件を変更するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えるようにしたので、ＷＩＮＤＯＷ信号を生成する同期信号未検出回数の条件の変更する機能を有することにより、同期信号未検出回数を大きくする条件を選択する場合は大きな傷を持った光ディスク等の再生時のディスク読み取りエラーを軽減させることができ、また、同期信号未検出回数を大きくする条件を選択しない場合は、同期未検出回数が少なくなることで同期信号の引き込み時間を短くすることができるという効果がある。従って、再生する光ディスクの特徴にあわせて同期信号未検出回数を拡げる条件を選択することで、ディスク読み取りエラーを軽減させることができる。
【００２６】
本発明請求項２の光ディスク再生装置によれば、同期信号の引き込み後ＲＦ信号の欠落信号を検出した際に同期信号の検出を止めるマスクＷＩＮＤＯＷ内でのみディスク再生信号の同期信号を検出する同期信号検出回路と、前記同期信号検出回路で同期信号が未検出の場合に同期信号の内挿を行う同期信号内挿回路と、前記同期信号検出回路の同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えるようにしたので、欠落信号検出時、同期信号の検出を止めることで、擬似の同期信号を検出することを防いで、大きな傷を持った光ディスク等の再生時のディスク読み取りエラーを軽減させることができ、また、同期未検出回数の条件に頼らないため、同期引き込み時間を増やさないままでディスク読み取りエラーの低減が可能となる。
【００２７】
本発明請求項３の光ディスク再生装置によれば、同期信号の引き込み後ＲＦ信号の未検出信号を検出した際に同期信号の検出を止めるマスクＷＩＮＤＯＷ内でのみディスク再生信号の同期信号を検出する同期信号検出回路と、前記同期信号検出回路で同期信号が未検出の場合に同期信号の内挿を行う同期信号内挿回路と、前記同期信号検出回路の同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えるようにしたので、ＲＦ未検出信号検出時、同期信号の検出を止めることで、擬似の同期信号を検出することを防いで、製造上でディスク欠陥を持った光ディスク等のディスク読み取りエラーを低減させることができ、また、同期未検出回数の条件に頼らないため、同期引き込み時間を増やさないままでディスク読み取りエラーの低減が可能となる。
【００２８】
本発明請求項４の光ディスク再生装置によれば、ディスク再生信号に同期した抽出クロックのジッタを検出するジッタ検出回路と、前記ジッタ検出回路で検出されたジッタ値により同期信号検出制御信号を生成する同期信号検出制御信号生成回路と、同期信号の引き込み後前記同期信号検出制御信号によって同期信号の検出を止めるディスク再生信号の同期信号を検出する同期信号検出回路と、前記同期信号検出回路で同期信号が未検出の場合に同期信号の内挿を行う同期信号内挿回路と、前記同期信号検出回路からの同期信号の未検出回数をカウントするカウンタと、前記カウンタからの同期信号未検出回数によってマスクＷＩＮＤＯＷ生成条件を制御するＷＩＮＤＯＷ制御信号生成回路と、前記ＷＩＮＤＯＷ制御信号生成回路の制御によりマスクＷＩＮＤＯＷ幅を可変させるＷＩＮＤＯＷ生成回路とを備えるようにしたので、ディスク再生信号の抽出クロックのジッタが増加した時、同期信号の検出を止めることで、擬似の同期信号を検出することを防いで、ジッタ値の大きな異常を持った光ディスク等のディスク読み取りエラーを低減させることができ、また、同期未検出回数の条件に頼らないため、同期引き込み時間を増やさないままでディスク読み取りエラーの低減が可能となる。
【００２９】
本発明請求項５の光ディスク再生装置によれば、請求項１記載の光ディスク再生装置において、ＲＦ信号の欠落信号の幅を検出する欠落信号幅測定回路と、前記欠落信号幅測定回路で検出された欠落信号幅により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えるようにしたので、欠落信号の幅を事前に測定することで、大きな傷を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができる。
【００３０】
本発明請求項６の光ディスク再生装置によれば、請求項１記載の光ディスク再生装置において、ＲＦ信号の未検出信号の幅を検出するＲＦ未検出信号幅測定回路と、前記ＲＦ未検出信号幅測定回路で検出されたＲＦ未検出信号幅により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えるようにしたので、ＲＦ未検出信号の幅を事前に測定することで、大きな欠陥を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができる。
【００３１】
本発明請求項７の光ディスク再生装置によれば、請求項１記載の光ディスク再生装置において、ディスク再生信号に同期した抽出クロックのジッタを検出するジッタ検出回路と、前記ジッタ検出回路で検出されたジッタ値により、ＷＩＮＤＯＷを生成する際の同期信号未検出回数の条件を制御する信号を生成するＷＩＮＤＯＷ条件変更制御回路と、前記同期信号検出回路に入力されるディスク再生信号を遅延させる遅延回路とをさらに備えるようにしたので、ディスク再生信号から抽出したクロックのジッタ値を事前に測定することで、ジッタ値が大きいディスク再生異常を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができる。
【００３２】
本発明請求項８の光ディスク再生装置によれば、請求項２記載の光ディスク再生装置において、ＲＦ信号の欠落信号の幅を検出する欠落信号幅測定回路と、前記欠落信号幅測定回路で検出された信号幅により前記同期信号検出回路の同期信号の検出を止める制御信号を生成する同期検出制御信号生成回路と、前記同期信号検出回路に入力されるディスク再生信号を遅延させる遅延回路とをさらに備えるようにしたので、欠落信号の幅を事前に測定することで、大きな傷等を持ったディスク再生信号の同期検出のみ検出を止めることで擬似の同期信号を検出することを防ぎ、また、傷が小さい場合は、同期検出を止めなくとも擬似の同期信号は発生しても内挿の同期信号と２つ発生することがないため、ディスク読み取りエラーは増加しないが、これに対し、同期検出を止めた場合は、検出を再度動作させる際、同期信号のビットスリップが発生するため、同期検出を止めない場合より若干ディスク読み取りエラーが増加することから、欠落信号の幅で、同期検出の動作／停止の切換を行うことで同期検出を常に動作させた場合または欠落信号検出時同期検出を止める場合と比べてディスク読み取りエラーを軽減させることができる。
【００３３】
本発明請求項９の光ディスク再生装置によれば、請求項３記載の光ディスク再生装置において、ＲＦ信号の未検出信号の幅を検出するＲＦ未検出信号幅測定回路と、前記ＲＦ未検出信号幅測定回路で検出された信号幅により前記同期信号検出回路の同期信号の検出を止める制御信号を生成する同期検出制御信号生成回路と、前記同期信号検出回路に入力されるディスク再生信号を遅延させる遅延回路とをさらに備えるようにしたので、ＲＦ未検出信号の幅を事前に測定することで、大きなディスク欠陥等を持ったディスク再生信号の同期検出のみ検出を止めることで擬似の同期信号を検出することを防ぎ、欠陥が小さい場合は、同期検出を止めなくとも擬似の同期信号は発生しても内挿の同期信号と２つ発生することがないため、ディスク読み取りエラーは増加しないが、これに対し、同期検出を止めた場合は、検出を再度動作させる際、同期信号のビットスリップが発生するため、同期検出を止めない場合より若干ディスク読み取りエラーが増加することから、ＲＦ未検出信号の幅で、同期検出の動作／停止の切換を行うことで、同期検出を常に動作させた場合またはＲＦ未検出信号検出時同期検出を止める場合と比べてディスク読み取りエラーを軽減させることができる。
【発明を実施するための最良の形態】
【００３４】
以下、本発明の実施の形態を、図面を参照しながら説明する。
（実施の形態１）
図１（ａ）は、本発明の実施の形態１による光ディスク再生装置の全体構成を示すブロック図である。
【００３５】
図１（ａ）において、スピンドルモータ１１と、ピックアップ１２と、ＲＦアンプ１３と、データスライサ１４と、同期信号検出回路１５と、同期信号内挿回路１６と、同期信号未検出回数カウンタ１７と、ＷＩＮＤＯＷ制御信号生成回路１８と、ＷＩＮＤＯＷ生成回路１９とを備える。
【００３６】
ＣＤ等の光ディスク１０はスピンドルモータ１１によって回転駆動される。
ピックアップ１２は、光ディスク１０にレーザーを照射するとともに光ディスク１０からの戻り光を検出しこれを電圧値に変換して出力する。ピックアップ１２からの出力はＲＦアンプ１３で増幅された後にＲＦ信号２０６をデータスライサ１４で２値化される。これにより、光ディスク１０に記録された情報がディスク再生信号として復元される。
【００３７】
さらにディスク再生信号は、同期信号検出回路１５によりＷＩＮＤＯＷ生成回路１９で生成されたＷＩＮＤＯＷ内でのみディスク再生信号のフレーム同期信号２０１を検出される。
【００３８】
ＷＩＮＤＯＷ内でディスク再生信号の検出が行われなかった場合、同期信号内挿回路１６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿後フレーム同期信号２０５を生成し後段に出力する。
【００３９】
同期信号未検出回数カウンタ１７では、同期信号検出回路１５でＷＩＮＤＯＷ内でフレーム同期信号２０１が検出できなかった回数をカウントする。
【００４０】
ＷＩＮＤＯＷ制御信号生成回路１８では、同期信号未検出回数カウンタ１７でカウントされた連続未検出回数２０３を基にＷＩＮＤＯＷ生成回路１９で生成するＷＩＮＤＯＷ幅の制御を行う。
【００４１】
図１（ｂ）は、本発明の実施の形態１による光ディスク再生装置における、ＷＩＮＤＯＷ条件変更制御信号が第１の状態のときのタイミングチャートであり、図１（ｃ）は、本発明の実施の形態１による光ディスク再生装置における、ＷＩＮＤＯＷ条件変更制御信号が第２の状態のときのタイミングチャートである。ここで、ＷＩＮＤＯＷ条件変更制御信号２０４は、マスクＷＩＮＤＯＷ幅を拡げる条件によって第１の状態と第２の状態があり、使用者はＷＩＮＤＯＷ条件変更制御信号２０４がいずれの状態であるかについて設定できる。
【００４２】
図１（ｂ）において、ＷＩＮＤＯＷ生成回路１９は、ＷＩＮＤＯＷ条件変更制御信号２０４が第１の状態の時、連続未検出回数２０３がＮ（第１の指定フレーム数）以上連続した場合、マスクＷＩＮＤＯＷ幅をα幅からβ幅（α＜β、α、βは共に整数）に拡げる。さらに連続未検出回数２０３がＮ（第１の指定フレーム数）より大きいＭ（第２の指定フレーム数）以上連続した場合、マスクＷＩＮＤＯＷ幅をβ幅から全開に拡げる。
【００４３】
次に図１（ｃ）に示すように、ＷＩＮＤＯＷ条件変更制御信号２０４を第１の状態から第２の状態に切換を行うと、マスクＷＩＮＤＯＷ幅をα幅からβ幅に拡げる条件を連続未検出回数２０３がＮ（第１の指定フレーム数）より多いP（第３の指定フレーム数）に変更、マスクＷＩＮＤＯＷ幅をβ幅から全開に拡げる条件を連続未検出回数２０３がＭ（第２の指定フレーム数）より大きいＱ（第４の指定フレーム数）に切換を行う。
【００４４】
従来では、ディスク再生信号からフレーム同期信号２０１の検出を行う時、ＷＩＮＤＯＷ条件変更制御信号２０４が第１の状態の場合に第２の指定フレーム数の長さより大きい傷を持った再生信号の場合、フレーム同期信号２０１の検出が傷のデータが入力されている間行えないため、マスクＷＩＮＤＯＷを全開にしてしまう。マスクＷＩＮＤＯＷを全開にすると、フレーム同期信号２０１の検出が行われないため同期信号内挿回路１６で内挿された同期信号２０５が後段に受け渡される。また、マスクＷＩＮＤＯＷによる保護を行っていないため、傷の影響で擬似の同期信号を同期信号検出回路１５が検出してしまう可能性があり、同期信号内挿回路１６の後段に内層後フレーム同期信号２０５と擬似同期信号の２つの信号が受け渡され実際のフレーム数より多い同期信号が引き渡されることになる。
【００４５】
ここで本実施の形態１では、ＷＩＮＤＯＷ条件変更制御信号２０４を第２の状態に切換を行うことで、第２の指定フレーム数の長さより大きい傷を持った再生信号が入力されてもマスクＷＩＮＤＯＷ全開の条件が第４のフレーム数連続の時であるため、マスクＷＩＮＤＯＷを全開にしない。これにより傷等の影響による擬似の同期信号の入力を阻止し、ディスク読み取りエラーの低減を行うことができる。
【００４６】
ただし、最初にフレーム同期信号２０１の検出を行い同期信号の引き込みを行う際、ＷＩＮＤＯＷ条件変更制御信号２０４を第２の状態を固定にしておくと、マスクＷＩＮＤＯＷ全開の条件が第４のフレーム数連続未検出の時のため、ＷＩＮＤＯＷ条件変更制御信号２０４を第１の状態の時の第２のフレーム数よりも長い時間が必要となる。そのため、ＷＩＮＤＯＷ条件変更制御信号２０４を第２の状態にすると同期検出の引き込み時間が増えてしまう。従って、ＷＩＮＤＯＷ条件変更制御信号２０４を第１の状態と第２の状態の切換を容易に行えるようにすることで再生する状況でＷＩＮＤＯＷ条件変更制御信号２０４の状態を選択することが可能となる。
【００４７】
このように本実施の形態１によれば、マスクＷＩＮＤＯＷ内でのみディスク再生信号の同期信号を検出する同期信号検出回路１５と、前記同期信号検出回路１５で前記同期信号が未検出の場合に同期信号の内挿を行う同期信号内挿回路１６と、前記同期信号の未検出回数をカウントする同期信号未検出回数カウンタ１７と、前記同期信号未検出回数カウンタ１７からの同期信号の未検出回数によりマスクＷＩＮＤＯＷの生成条件を制御し、かつ外部からのＷＩＮＤＯＷ条件変更制御信号２０４に基づいてＷＩＮＤＯＷを生成する際の同期信号未検出回数の条件を変更するＷＩＮＤＯＷ制御信号生成回路１８と、前記ＷＩＮＤＯＷ制御信号生成回路１８の制御によりマスクＷＩＮＤＯＷ幅を可変させるＷＩＮＤＯＷ生成回路１９とを備えるようにしたので、再生する光ディスクの特徴にあわせて同期信号未検出回数を大きくする条件を選択することで、ディスク読み取りエラーを軽減させることができるという効果がある。
【００４８】
なお、本実施の形態１では、ＷＩＮＤＯＷ条件変更制御信号２０４を第１の状態と第２の状態に切り換える例について説明したが、ＷＩＮＤＯＷ条件変更制御信号２０４をさらに複数の状態に切り換えるようにしてもよい。
【００４９】
（実施の形態２）
図２（ａ）は、本発明の実施の形態２による光ディスク再生装置の全体構成を示すブロック図である。
図２（ａ）において、スピンドルモータ２１と、ピックアップ２２と、ＲＦアンプ２３と、データスライサ２４と、同期信号検出回路２５と、同期信号内挿回路２６と、同期信号未検出回数カウンタ２７と、ＷＩＮＤＯＷ制御信号生成回路２８と、ＷＩＮＤＯＷ生成回路２９とを備える。
【００５０】
ディスク再生信号は、同期信号検出回路２５によりＷＩＮＤＯＷ生成回路２９で生成されたＷＩＮＤＯＷ内でのみディスク再生信号のフレーム同期信号２０１を検出される。ＷＩＮＤＯＷ内でディスク再生信号の検出が行われなかった場合、同期信号内挿回路２６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号２０５を生成し後段に出力する。
【００５１】
同期信号未検出回数カウンタ２７では、同期信号検出回路２５でＷＩＮＤＯＷ内で同期信号が検出できなかった回数をカウントする。
【００５２】
ＷＩＮＤＯＷ制御信号生成回路２８では、同期信号未検出回数カウンタ２７でカウントされた連続未検出回数２０３を基にＷＩＮＤＯＷ生成回路２９で生成するＷＩＮＤＯＷ幅の制御を行う。
【００５３】
ＷＩＮＤＯＷ生成回路２９は、連続未検出回数２０３が第１の指定フレーム数以上連続した場合マスクＷＩＮＤＯＷ幅をα幅からβ幅（α＜β、α、βは共に整数）に拡げる。さらに連続未検出回数２０３が第１の指定フレーム数より多い第２の指定フレーム数以上連続した場合、マスクＷＩＮＤＯＷ幅をβ幅から全開に拡げる。
【００５４】
図２（ｂ）は、本発明の実施の形態２による光ディスク再生装置のタイミングチャート図である。
図２（ｂ）に示すように、同期信号検出回路２５は、ＲＦアンプ２３で検出したＲＦ信号２０６の欠落信号２０７を受け取り、欠落信号２０７検出を受け取った際は、フレーム同期信号２０１の検出を止める。
【００５５】
欠落信号２０７は、ディスクに傷等があった場合に発生することが多く、傷でＲＦ信号２０６自体が全て欠落することは少ないため、傷部分でも何らかの再生信号が残っており、傷でＲＦ信号２０７の振幅も小さいため、擬似の同期パターンとして同期信号検出回路２５は検出しやすくなる。欠落信号２０７検出時、同期信号検出回路２５がフレーム同期信号２０１の検出を止めることで、ディスクの傷等で発生する擬似の同期信号の検出を防ぐことができ、欠落信号２０７検出時は、内挿の同期信号２０５で内部の訂正処理等の回路を動作させる。これにより、傷等を持った光ディスクの読み取りエラーを低減させることができる。また、同期信号の引き込み時間は、変わらないまま、読み取りエラーの低減が可能となる。
【００５６】
このように本実施の形態によれば、同期信号の引き込み後ＲＦ信号２０６の欠落信号２０７を検出した際に同期信号の検出を止めるマスクＷＩＮＤＯＷ内でのみディスク再生信号の同期信号を検出する同期信号検出回路２５と、前記同期信号検出回路２５で同期信号が未検出の場合に同期信号の内挿を行う同期信号内挿回路２６と、前記同期信号検出回路の同期信号の未検出回数をカウントする同期信号未検出回数カウンタ２７と、前記同期信号未検出回数カウンタ２７からの同期信号未検出回数２０３によってマスクＷＩＮＤＯＷ生成条件を制御するＷＩＮＤＯＷ制御信号生成回路２８と、前記ＷＩＮＤＯＷ制御信号生成回路の制御によりマスクＷＩＮＤＯＷ幅を可変させるＷＩＮＤＯＷ生成回路２９とを備えるようにしたので、欠落信号検出時、同期信号の検出を止めることで、擬似の同期信号を検出することを防いで、大きな傷を持った光ディスク等の再生時のディスク読み取りエラーを軽減させることができ、また、同期未検出回数の条件に頼らないため、同期引き込み時間を増やさないままでディスク読み取りエラーの低減が可能となるという効果がある。
（実施の形態３）
図３（ａ）は、本発明の実施の形態３による光ディスク再生装置の全体構成を示すブロック図である。
図３（ａ）において、スピンドルモータ３１と、ピックアップ３２と、ＲＦアンプ３３と、データスライサ３４と、同期信号検出回路３５と、同期信号内挿回路３６と、同期信号未検出回数カウンタ３７と、ＷＩＮＤＯＷ制御信号生成回路３８と、ＷＩＮＤＯＷ生成回路３９とを備える。
【００５７】
ディスク再生信号は同期信号検出回路３５によりＷＩＮＤＯＷ生成回路３９で生成されたＷＩＮＤＯＷ内でのみディスク再生信号の同期信号を検出される。ＷＩＮＤＯＷ内でディスク再生信号の検出が行われなかった場合、同期信号内挿回路３６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号２０５を生成し後段に出力する。
【００５８】
同期信号未検出回数カウンタ３７では、同期信号検出回路３５でＷＩＮＤＯＷ内でフレーム同期信号２０１が検出できなかった回数をカウントする。
【００５９】
ＷＩＮＤＯＷ制御信号生成回路３８では、同期信号未検出回数カウンタ３７でカウントされた連続未検出回数２０３を基にＷＩＮＤＯＷ生成回路３９で生成するＷＩＮＤＯＷ幅の制御を行う。
【００６０】
ＷＩＮＤＯＷ生成回路３９は、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【００６１】
図３（ｂ）は、本発明の実施の形態３による光ディスク再生装置のタイミングチャート図である。
図３（ｂ）に示すように、同期信号検出回路３５は、ＲＦアンプ３３で検出したＲＦ信号２０６のＲＦ未検出信号２０８を受け取り、ＲＦ未検出信号２０８を検出した際は、同期信号の検出を止める。
【００６２】
ＲＦ未検出信号２０８は、ディスクに欠陥等があった場合に発生することが多く、欠落信号２０７で検出されず、ＲＦ未検出信号２０８のみが検出される場合がある。ＲＦ未検出信号２０８の検出時、同期信号検出回路３５が同期信号の検出を止めることで、ディスクの欠陥等で発生する擬似の同期信号の検出を防ぐことができ、ＲＦ未検出信号２０８の検出時は、内挿の同期信号２０５で内部の訂正処理等の回路を動作させる。これにより、欠陥等を持った光ディスクの読み取りエラーを低減させることができる。また、同期信号の引き込み時間は、変わらないまま、読み取りエラーの低減が可能となる。
【００６３】
このように本実施の形態によれば、同期信号の引き込み後ＲＦ信号２０６の未検出信号２０８を検出した際に同期信号の検出を止めるマスクＷＩＮＤＯＷ内でのみディスク再生信号の同期信号を検出する同期信号検出回路３５と、前記同期信号検出回路３５で同期信号が未検出の場合に同期信号の内挿を行う同期信号内挿回路３６と、前記同期信号検出回路の同期信号の未検出回数をカウントする同期信号未検出回数カウンタ３７と、前記同期信号未検出回数カウンタ３７からの同期信号未検出回数２０３によってマスクＷＩＮＤＯＷ生成条件を制御するＷＩＮＤＯＷ制御信号生成回路３８と、前記ＷＩＮＤＯＷ制御信号生成回路３８の制御によりマスクＷＩＮＤＯＷ幅を可変させるＷＩＮＤＯＷ生成回路３９とを備えるようにしたので、ＲＦ未検出信号検出時、同期信号の検出を止めることで、擬似の同期信号を検出することを防いで、製造上でディスク欠陥を持った光ディスク等のディスク読み取りエラーを低減させることができ、また、同期未検出回数の条件に頼らないため、同期引き込み時間を増やさないままでディスク読み取りエラーの低減が可能となるという効果がある。
【００６４】
（実施の形態４）
図４（ａ）は、本発明の実施の形態４による光ディスク再生装置の全体構成を示すブロック図である。
図４（ａ）において、スピンドルモータ４１と、ピックアップ４２と、ＲＦアンプ４３と、データスライサ４４と、同期信号検出回路４５と、同期信号内挿回路４６と、同期信号未検出回数カウンタ４７と、ＷＩＮＤＯＷ制御信号生成回路４８と、ＷＩＮＤＯＷ生成回路４９と、ＰＬＬ回路４Ａと、ジッタ検出回路４Ｂとを備える。
【００６５】
ディスク再生信号は、同期信号検出回路４５によりＷＩＮＤＯＷ生成回路４９で生成されたＷＩＮＤＯＷ内でのみディスク再生信号のフレーム同期信号２０１を検出される。ＷＩＮＤＯＷ内でディスク再生信号の検出がおこなわれなかった場合同期信号内挿回路４６により前のタイミングで検出した同期信号を基にディスク再生信号に同期した抽出クロックによりカウント（ＣＤでは、抽出クロックの５８８個毎に同期信号が存在する）を行い、次の同期信号の出力が予測されるタイミングで内挿の同期信号を生成し後段に出力する。
【００６６】
同期信号未検出回数カウンタ４７では、同期信号検出回路４５でＷＩＮＤＯＷ内でフレーム同期信号２０１が検出できなかった回数をカウントする。
ＷＩＮＤＯＷ制御信号生成回路４８では、同期信号未検出回数カウンタ４７でカウントされた連続未検出回数２０３を基にＷＩＮＤＯＷ生成回路４９で生成するＷＩＮＤＯＷ幅の制御を行う。
【００６７】
ＷＩＮＤＯＷ生成回路４９は、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【００６８】
図４（ｂ）は、本発明の実施の形態４による光ディスク再生装置のタイミングチャート図である。
ＰＬＬ回路４Ａは、ディスク再生信号に同期した抽出クロックを生成する。ジッタ検出回路４Ｂは、ＰＬＬ回路４Ａで抽出したクロックのジッタ２０９を検出する。図４（ｂ）に示すように、同期信号検出制御信号生成回路４Ｃは、ジッタ検出回路４Ｂで検出したジッタ２０９がＮ（第１の指定ジッタ値）以上の場合、同期信号の検出を止める同期信号検出制御信号２１０を生成する。
【００６９】
同期信号検出回路４５は、同期信号検出制御信号生成回路４Ｃで生成された同期信号検出回路制御信号２１０を受け取り、ジッタ値によりフレーム同期信号２０１の検出を止める。
【００７０】
ＰＬＬ回路４Ａで抽出したクロックのジッタ２０９が大きくなる場合は、再生ディスクに傷、欠陥、面ぶれ等の異常がある場合である。ジッタ検出回路４ＢがＮ（第１の指定ジッタ値）以上のジッタ２０９を検出したとき、同期信号検出回路４５がフレーム同期信号２０１の検出を止めることで、ディスクの異常等で発生する擬似の同期信号の検出を防ぐことができ、同期検出を止めているときは内挿の同期信号２０５で内部の訂正処理等の回路を動作させる。これにより、ディスクの異常等を持った光ディスクの読み取りエラーを低減させることができる。また、同期信号の引き込み時間は、変わらないまま、読み取りエラーの低減が可能となる。
【００７１】
このように本実施の形態によれば、ディスク再生信号に同期した抽出クロックのジッタ２０９を検出するジッタ検出回路４Ｂと、前記ジッタ検出回路４Ｂで検出されたジッタ値により同期信号検出制御信号を生成する同期信号検出制御信号生成回路４Ｃと、同期信号の引き込み後前記同期信号検出制御信号２１０によって同期信号の検出を止めるディスク再生信号の同期信号を検出する同期信号検出回路４５と、前記同期信号検出回路４５で同期信号が未検出の場合に同期信号の内挿を行う同期信号内挿回路４６と、前記同期信号検出回路からの同期信号の未検出回数２０３をカウントする同期信号未検出回数カウンタ４７と、前記同期信号未検出回数カウンタ４７からの同期信号未検出回数２０３によってマスクＷＩＮＤＯＷ生成条件を制御するＷＩＮＤＯＷ制御信号生成回路４８と、前記ＷＩＮＤＯＷ制御信号生成回路４８の制御によりマスクＷＩＮＤＯＷ幅を可変させるＷＩＮＤＯＷ生成回路４９とを備えるようにしたので、ディスク再生信号の抽出クロックのジッタが増加した時、同期信号の検出を止めることで、擬似の同期信号を検出することを防いで、ジッタ値の大きな異常を持った光ディスク等のディスク読み取りエラーを低減させることができ、また、同期未検出回数の条件に頼らないため、同期引き込み時間を増やさないままでディスク読み取りエラーの低減が可能となるという効果がある。
【００７２】
（実施の形態５）
図５（ａ）は、本発明の実施の形態５による光ディスク再生装置の全体構成を示すブロック図である。
図５（ａ）において、スピンドルモータ６１と、ピックアップ６２と、ＲＦアンプ６３と、データスライサ６４と、同期信号検出回路６５と、同期信号内挿回路６６と、同期信号未検出回数カウンタ６７と、ＷＩＮＤＯＷ制御信号生成回路６８と、ＷＩＮＤＯＷ生成回路６９と、ＰＬＬ回路６Ａと、欠落信号幅測定回路６Ｂと、ＷＩＮＤＯＷ条件制御回路６Ｃと、遅延回路６Ｄとを備える。
【００７３】
ディスク再生信号は、同期信号検出回路６５によりＷＩＮＤＯＷ生成回路６９で生成されたＷＩＮＤＯＷ内でのみディスク再生信号の同期信号を検出される。ＷＩＮＤＯＷ内でディスク再生信号の検出が行なわれなかった場合、同期信号内挿回路６６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号２０５を生成し後段に出力する。
【００７４】
同期信号未検出回数カウンタ６７では、同期信号検出回路６５でＷＩＮＤＯＷ内でフレーム同期信号２０１が検出できなかった回数をカウントする。
【００７５】
ＷＩＮＤＯＷ制御信号生成回路６８では、同期信号未検出回数カウンタ６７でカウントされた連続未検出回数２０３を基にＷＩＮＤＯＷ生成回路６９で生成するＷＩＮＤＯＷ幅の制御を行う。
【００７６】
ＷＩＮＤＯＷ生成回路６９は、ＷＩＮＤＯＷ条件変更制御信号２０４が第１の状態の時、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。次にＷＩＮＤＯＷ条件変更制御信号２０４を第１の状態から第２の状態に切換を行うと、マスクＷＩＮＤＯＷ幅をα幅からβ幅に拡げる条件を連続未検出回数２０３が第１の指定フレーム数より多い第３の指定フレーム数に変更、マスクＷＩＮＤＯＷ幅をβ幅から全開に拡げる条件を連続未検出回数２０３が第２の指定フレーム数より多い第４のフレーム数に切換を行う。
【００７７】
ＰＬＬ回路６Ａは、ディスク再生信号に同期した抽出クロックを生成する。
欠落信号幅測定回路６Ｂは、ＲＦアンプ６３で検出したＲＦ信号２０６の欠落信号２０７を受け取り、ディスク再生信号に同期した抽出クロックを基準として欠落信号２０７の幅を測定する。
【００７８】
ＷＩＮＤＯＷ条件制御回路６Ｃは、欠落信号幅測定回路６Ｂで測定した欠落信号２０７の幅を基にＷＩＮＤＯＷ制御信号生成回路６８へのＷＩＮＤＯＷ条件変更制御信号２０４を生成する。欠落信号２０７の幅が第２の指定フレーム数長さより大きい場合、ＷＩＮＤＯＷ条件変更制御信号２０４を第２の状態（マスクＷＩＮＤＯＷ幅のα幅からβ幅に拡げる条件を連続未検出回数２０３が第１の指定フレーム数より多い第３の指定フレーム数選択、マスクＷＩＮＤＯＷ幅をβ幅から全開に拡げる条件を連続未検出回数２０３が第２の指定フレーム数より多い第４のフレーム数選択）を選択する。
【００７９】
また、欠落信号２０７の幅が第２の指定フレーム数長さ以下の場合、ＷＩＮＤＯＷ条件変更制御信号２０４を第１の状態を選択する。
【００８０】
遅延回路６Ｄは、欠落信号２０７幅を測定するタイミング分（第２の指定フレーム数分）同期信号検出回路６５に入力されるデータスライサ後のフレーム同期信号２０１の遅延を行う。
【００８１】
次に、動作を波形図を用いて説明する。
図５（ｂ）は、本発明の実施の形態５による光ディスク再生装置のタイミングチャート図である。
【００８２】
図５（ｂ）において、第２の指定フレーム数より長い欠落信号Ｔ幅は欠落信号幅測定回路６Ｂによって欠落信号２０７の幅を測定する。第２の指定フレーム数より長い欠落信号Ｔ幅の検出することにより、ＷＩＮＤＯＷ条件変更制御回路６Ｃは、ＷＩＮＤＯＷ条件変更制御信号を第１の状態から第２の状態に切り換える。欠落信号Ｔ幅内に含まれていた同期信号(2)、(3)、(4)、(5)は、遅延回路６Ｄにより第２の指定フレーム数分遅延して同期信号検出回路６５に入力され、(2)'、(3)'、(4)'、(5)'として検出される。第２の指定フレーム数分、同期信号検出回路６５に入力される信号を遅延させることで、欠落信号２０７幅測定によって、切り換わったＷＩＮＤＯＷ条件が、欠落信号２０７幅内にあった同期信号に反映されることが可能になる。
【００８３】
欠落信号２０７は、ディスクに傷等があった場合に発生することが多く、傷でＲＦ信号２０６自体が全て欠落することは少ないため、傷部分でも何らかの再生信号が残っており、傷でＲＦ信号２０７の振幅も小さいため、擬似の同期パターンとして同期信号検出回路６５は検出しやすくなる。
【００８４】
欠落信号幅によりＷＩＮＤＯＷ条件を切り換えることで、第２の指定フレーム数以上連続した条件の傷を持った光ディスクを再生する場合は、事前に条件を切り換えることで、傷等を持った光ディスク再生時のディスク読み取りエラーの低減を行うことができる。また、傷がない場合あるいは第２の指定フレーム数以上連続した条件の傷を持たない場合あるいは同期信号の最初の引き込みを行う場合は、ＷＩＮＤＯＷ条件変更制御信号を第１の状態が選択されるため、引き込み時間の増加を行うことはない。以上より、同期信号の引き込み時間を増やさずに光ディスク再生時のディスク読み取りエラーを低減することが可能となる。
【００８５】
このように本実施の形態によれば、ＲＦ信号２０６の欠落信号２０７の幅を検出する欠落信号幅測定回路６Ｂと、前記欠落信号幅測定回路６Ｂで検出された欠落信号幅により、ＷＩＮＤＯＷを生成する際の同期信号未検出回数の条件を制御する信号を生成するＷＩＮＤＯＷ条件変更制御回路６Ｃと、同期信号検出回路６５に入力されるディスク再生信号を遅延させる遅延回路６Ｄとを備えるようにしたので、欠落信号の幅を事前に測定することで、大きな傷を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができるという効果がある。
【００８６】
（実施の形態６）
図６は、本発明の実施の形態６による光ディスク再生装置の全体構成を示すブロック図である。
図６において、スピンドルモータ７１と、ピックアップ７２と、ＲＦアンプ７３と、データスライサ７４と、同期信号検出回路７５と、同期信号内挿回路７６と、同期信号未検出回数カウンタ７７と、ＷＩＮＤＯＷ制御信号生成回路７８と、ＷＩＮＤＯＷ生成回路７９と、ＰＬＬ回路７Ａと、ＲＦ未検出信号幅測定回路７Ｂと、ＷＩＮＤＯＷ条件制御回路７Ｃと、遅延回路７Ｄとを備える。
【００８７】
ディスク再生信号は、同期信号検出回路７５によりＷＩＮＤＯＷ生成回路７９で生成されたＷＩＮＤＯＷ内でのみディスク再生信号の同期信号を検出される。ＷＩＮＤＯＷ内でディスク再生信号の検出が行なわれなかった場合、同期信号内挿回路７６により前のタイミングで検出したフレーム同期信号２０１を基にディスク再生信号に同期した抽出クロックによりカウント（ＣＤでは、抽出クロックの５８８個毎に同期信号が存在する）を行い、次の同期信号の出力が予測されるタイミングで内挿の同期信号を生成し後段に出力する。
【００８８】
同期信号未検出回数カウンタ７７では、同期信号検出回路７５でＷＩＮＤＯＷ内でフレーム同期信号２０１が検出できなかった回数をカウントする。
【００８９】
ＷＩＮＤＯＷ制御信号生成回路７８では、同期信号未検出回数カウンタ７７でカウントされた連続未検出回数２０３を基にＷＩＮＤＯＷ生成回路７９で生成するＷＩＮＤＯＷ幅の制御を行う。
【００９０】
ＷＩＮＤＯＷ生成回路７９は、ＷＩＮＤＯＷ条件変更制御信号２０４が第１の状態の時、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【００９１】
次にＷＩＮＤＯＷ条件変更制御信号２０４を第１の状態から第２の状態に切換を行うと、マスクＷＩＮＤＯＷ幅をα幅からβ幅に拡げる条件を連続未検出回数２０３が第１の指定フレーム数より多い第３の指定フレーム数に変更、マスクＷＩＮＤＯＷ幅をβ幅から全開に拡げる条件を連続未検出回数２０３が第２の指定フレーム数より多い第４のフレーム数に切換を行う。
【００９２】
ＰＬＬ回路７Ａは、ディスク再生信号に同期した抽出クロックを生成する。
ＲＦ未検出信号幅測定回路７Ｂは、ＲＦアンプで検出したＲＦ信号の未検出信号を受け取り、ディスク再生信号に同期した抽出クロックを基準としてＲＦ未検出信号の幅を測定する。
【００９３】
ＷＩＮＤＯＷ条件制御回路７Ｃは、ＲＦ未検出信号幅測定回路７Ｂで測定したＲＦ未検出信号２０８の幅を基にＷＩＮＤＯＷ制御信号生成回路７８へのＷＩＮＤＯＷ条件変更制御信号２０４を生成する。ＲＦ未検出信号２０８の幅が第２の指定フレーム数長さより大きい場合、ＷＩＮＤＯＷ条件変更制御信号２０４を第２の状態（マスクＷＩＮＤＯＷ幅のα幅からβ幅に拡げる条件を連続未検出回数が第１の指定フレーム数より多い第３の指定フレーム数選択、マスクＷＩＮＤＯＷ幅をβ幅から全開に拡げる条件を連続未検出回数が第２の指定フレーム数より多い第４のフレーム数選択）を選択する。ＲＦ未検出信号２０８の幅が第２の指定フレーム数長さ以下の場合、ＷＩＮＤＯＷ条件変更制御信号２０４を第１の状態を選択する。
【００９４】
遅延回路６Ｄは、ＲＦ未検出信号幅測定回路７Ｂで測定されたＲＦ未検出信号２０８を含んだディスク再生信号が、ＲＦ未検出信号幅測定後、ＲＦ未検出信号２０８の幅によるＷＩＮＤＯＷ条件変更制御信号２０４での制御が同期信号検出回路７５で反映されることにより、ディスク再生信号の遅延を行う。
【００９５】
ＲＦ未検出信号２０８は、ディスクに欠陥等があった場合に発生することが多く、欠落信号２０７で検出されず、ＲＦ未検出信号２０８のみが検出される場合がある。ＲＦ未検出信号幅によりＷＩＮＤＯＷ条件を切り換えることで、第２の指定フレーム数以上連続した条件の傷を持った光ディスクを再生する場合は、事前に条件を切り換えることで、欠陥等を持った光ディスク再生時のディスク読み取りエラーの低減を行うことができる。また、欠陥、傷等がない場合あるいは第２の指定フレーム数以上連続した条件の欠陥、傷等を持たない場合あるいは同期信号の最初の引き込みを行う場合は、ＷＩＮＤＯＷ条件変更制御信号２０４を第１の状態が選択されるため、引き込み時間の増加を行うことはない。以上により、同期信号の引き込み時間を増やさずに光ディスク再生時のディスク読み取りエラーを低減することが可能となる。
【００９６】
このように本実施の形態では、ＲＦ信号２０６の未検出信号２０８の幅を検出するＲＦ未検出信号幅測定回路７Ｂと、前記ＲＦ未検出信号幅測定回路７Ｂで検出されたＲＦ未検出信号幅により、ＷＩＮＤＯＷを生成する際の同期信号未検出回数の条件を制御する信号を生成するＷＩＮＤＯＷ条件変更制御回路７Ｃと、同期信号検出回路７５に入力されるディスク再生信号を遅延させる遅延回路７Ｄとを備えるようにしたので、ＲＦ未検出信号の幅を事前に測定することで、大きな欠陥を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができるという効果がある。
【００９７】
（実施の形態７）
図７は、本発明の実施の形態７による光ディスク再生装置の全体構成を示すブロック図である。
図７において、スピンドルモータ８１と、ピックアップ８２と、ＲＦアンプ８３と、データスライサ８４と、同期信号検出回路８５と、同期信号内挿回路８６と、同期信号未検出回数カウンタ８７と、ＷＩＮＤＯＷ制御信号生成回路８８と、ＷＩＮＤＯＷ生成回路８９と、ＰＬＬ回路８Ａと、ジッタ検出回路８Ｂと、遅延回路８Ｄとを備える。
【００９８】
ディスク再生信号は、同期信号検出回路８５によりＷＩＮＤＯＷ生成回路８９で生成されたＷＩＮＤＯＷ内でのみディスク再生信号のフレーム同期信号２０１を検出される。ＷＩＮＤＯＷ内でディスク再生信号の検出が行なわれなかった場合、同期信号内挿回路８６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号を生成し後段に出力する。
【００９９】
同期信号未検出回数カウンタ８７では、同期信号検出回路でＷＩＮＤＯＷ内で同期信号が検出できなかった回数をカウントする。
【０１００】
ＷＩＮＤＯＷ制御信号生成回路８８では、同期信号未検出回数カウンタ８７でカウントされた連続未検出回数２０３を基にＷＩＮＤＯＷ生成回路８９で生成するＷＩＮＤＯＷ幅の制御を行う。
【０１０１】
ＷＩＮＤＯＷ生成回路８９は、ＷＩＮＤＯＷ条件変更制御信号２０４が第１の状態の時、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【０１０２】
次にＷＩＮＤＯＷ条件変更制御信号２０４を第１の状態から第２の状態に切換を行うと、マスクＷＩＮＤＯＷ幅をα幅からβ幅に拡げる条件を連続未検出回数２０３が第１の指定フレーム数より多い第３の指定フレーム数に変更、マスクＷＩＮＤＯＷ幅をβ幅から全開に拡げる条件を連続未検出回数２０３が第２の指定フレーム数より多い第４のフレーム数に切換を行う。
【０１０３】
ＰＬＬ回路８Ａは、ディスク再生信号に同期した抽出クロックを生成する。
ジッタ検出回路８Ｂは、ＰＬＬ回路８Ａで抽出したクロックのジッタ２０９を検出し、測定したクロックのジッタ値を基にＷＩＮＤＯＷ制御信号生成回路８８へＷＩＮＤＯＷ条件変更制御信号２０４を出力する。ジッタ検出回路８Ｂで検出したジッタ２０９が第1の指定ジッタ値より少ない場合、ＷＩＮＤＯＷ条件変更制御信号２０４として第１の状態（連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる）への制御を行う信号を出力する。
【０１０４】
第１の指定ジッタ値以上のジッタ値２０９を検出した場合、ＷＩＮＤＯＷ条件変更制御信号２０４として第２の状態（マスクＷＩＮＤＯＷ幅のα幅からβ幅に拡げる条件を連続未検出回数が第１の指定フレーム数より多い第３の指定フレーム数選択、マスクＷＩＮＤＯＷ幅をβ幅から全開に拡げる条件を連続未検出回数が第２の指定フレーム数より多い第４のフレーム数選択）への制御を行う信号を出力する。
【０１０５】
遅延回路８Ｃは、ジッタ検出回路８Ｂで測定されたジッタ値２０９を含む位置のディスク再生信号が、同期信号検出回路に入力される時にジッタ検出後ＷＩＮＤＯＷ条件変更制御信号２０４での制御が同期信号検出回路８５で反映させるため、ディスク再生信号の遅延を行う。
【０１０６】
ＰＬＬ回路８Ａで抽出したクロックのジッタが大きくなる場合は、再生ディスクに傷、欠陥、面ぶれ等の異常がある場合である。ジッタ検出回路８Ｂが第１の指定ジッタ値以上のジッタ２０９を検出したとき、ジッタ検出回路８Ｂで検出された第１の指定ジッタ値以上を持った位置のディスク再生信号が同期検出される前にＷＩＮＤＯＷ条件変更制御信号２０４を第２の状態へ事前に条件を切り換えることで、再生ディスクの異常を持った光ディスク再生時のディスク読み取りエラーの低減を行うことができる。
【０１０７】
また、再生ディスクの異常のない部分を再生する場合はＷＩＮＤＯＷ条件変更制御信号２０４を第１の状態が選択されるため、引き込み時間の増加を行うことはない。
【０１０８】
以上より、同期信号の引き込み時間を増やさずに光ディスク再生時のディスク読み取りエラーを低減することが可能となる。
【０１０９】
このように本実施の形態によれば、ディスク再生信号に同期した抽出クロックのジッタを検出するジッタ検出回路８Ｂと、前記ジッタ検出回路８Ｂで検出されたジッタ値により、ＷＩＮＤＯＷを生成する際の同期信号未検出回数の条件を制御する信号を生成するＷＩＮＤＯＷ条件変更制御回路８Ｃと、同期信号検出回路８５に入力されるディスク再生信号を遅延させる遅延回路８Ｄとを備えるようにしたので、ディスク再生信号から抽出したクロックのジッタ値を事前に測定することで、ジッタ値が大きいディスク再生異常を持ったディスク再生信号の同期検出を行う場合は同期信号未検出回数を大きくする条件を選択し、ディスク読み取りエラーを軽減させることができ、また、同期信号の引き込み時は同期信号未検出回数を大きくする条件を選択されるため、ディスク読み取りエラーを増加させずに同期信号の引き込み時間を短くすることができるという効果がある。
【０１１０】
（実施の形態８）
図８は、本発明の実施の形態８による光ディスク再生装置の全体構成を示すブロック図である。
図８において、スピンドルモータ１０１と、ピックアップ１０２と、ＲＦアンプ１０３と、データスライサ１０４と、同期信号検出回路１０５と、同期信号内挿回路１０６と、同期信号未検出回数カウンタ１０７と、ＷＩＮＤＯＷ制御信号生成回路１０８と、ＷＩＮＤＯＷ生成回路１０９と、ＰＬＬ回路１０Ａと、欠落信号幅測定回路１０Ｂと、同期信号検出回路制御信号生成回路１０Ｃと、遅延回路１０Ｄとを備える。
【０１１１】
ディスク再生信号は、同期信号検出回路１０５によりＷＩＮＤＯＷ生成回路１０９で生成されたＷＩＮＤＯＷ内でのみディスク再生信号の同期信号を検出される。ＷＩＮＤＯＷ内でディスク再生信号の検出が行なわれなかった場合、同期信号内挿回路１０６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号２０５を生成し後段に出力する。
【０１１２】
同期信号未検出回数カウンタ１０７では、同期信号検出回路１０５でＷＩＮＤＯＷ内でフレーム同期信号２０１が検出できなかった回数をカウントする。
【０１１３】
ＷＩＮＤＯＷ制御信号生成回路１０８では、同期信号未検出回数カウンタ１０７でカウントされた連続未検出回数２０３を基にＷＩＮＤＯＷ生成回路１０９で生成するＷＩＮＤＯＷ幅の制御を行う。
【０１１４】
ＷＩＮＤＯＷ生成回路１０９は、連続未検出回数２０３が第１の指定フレーム数以上連続した場合、マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【０１１５】
ＰＬＬ回路１０Ａは、ディスク再生信号に同期した抽出クロックを生成する。
欠落信号幅測定回路１０Ｂは、ＲＦアンプ１０３で検出したＲＦ信号２０６の欠落信号２０７を受け取り、ディスク再生信号に同期した抽出クロックを基準として欠落信号２０７の幅を測定する。
【０１１６】
同期検出制御信号生成回路１０Ｃは、欠落信号幅測定回路１０Ｂで測定した欠落信号２０７の幅を基に同期信号検出回路１０５へ同期信号の検出の動作／停止を制御する同期検出制御信号２１２を生成する。欠落信号の幅が第２の指定フレーム数長さより大きい場合、同期検出停止を選択する。欠落信号の幅が第２の指定フレーム数長さ以下の場合、同期検出動作を選択する。
【０１１７】
遅延回路１０Ｄは、欠落信号幅を測定するタイミング分（第２の指定フレーム数分）同期信号検出に入力されるデータスライサ後の信号の遅延を行う。
【０１１８】
次に、動作を波形図を用いて説明する。
図５（ｂ）に示したように、第２の指定フレーム数より長い欠落信号Ｔ幅は欠落信号幅測定回路６Ｂによって欠落信号の幅を測定する。第２の指定フレーム数より長い欠落信号Ｔ幅の検出しよりＷＩＮＤＯＷ条件変更制御回路６Ｃは、ＷＩＮＤＯＷ条件変更制御信号を第１の状態から第２の状態に切り換える。欠落信号Ｔ内に含まれていた同期信号(2)、(3)、(4)、(5)は、遅延回路６Ｄにより第２の指定フレーム数分遅延して同期信号検出回路１０５に入力され、(2)'、(3)'、(4)'、(5)'として検出される。第２の指定フレーム数分、同期信号検出回路１０５に入力される同期信号を遅延させることで、欠落信号幅測定によって、切り換わったＷＩＮＤＯＷ条件が、欠落信号幅内にあった同期信号に反映されることが可能になる。
【０１１９】
欠落信号２０７は、ディスクに傷等があった場合に発生することが多く、傷でＲＦ信号２０６自体が全て欠落することは少ないため、傷部分でも何らかの再生信号が残っており、傷でＲＦ信号２０６の振幅も小さいため、擬似の同期パターンとして同期信号検出回路１０５は検出しやすくなる。欠落信号２０７の幅が第２の指定フレーム数長さより大きい欠落信号２０７を検出した時、同期信号検出回路１０５によるフレーム同期信号２０１の検出を止めることで、ディスクの傷等で発生する擬似の同期信号の検出を防ぐことができ、同期検出停止の時は内挿の同期信号２０５で内部の訂正処理等の回路を動作させる。これにより、同期信号の引き込み時間は変わらないまま、傷等を持った光ディスクの読み取りエラーを低減させることができる。
【０１２０】
また、欠落信号幅が第２の指定フレーム数長さ以下の場合は、同期検出を止めないことでディスク再生信号に対しての追従性を保つことができ、サーボ外れ等で同期信号の再引き込みが必要な場合は、同期検出を止めている場合より引き込み開始を早くすることができる。
【０１２１】
また、ディスクの異常を持った光ディスク再生時のディスク読み取りエラーの低減を行うことができる。
【０１２２】
このように本実施の形態によれば、ＲＦ信号２０６の欠落信号２０７の幅を検出する欠落信号幅測定回路１０Ｂと、前記欠落信号幅測定回路１０Ｂで検出された信号幅により同期信号検出回路１０５の同期信号の検出を止める制御信号を生成する同期検出制御信号生成回路１０Ｃと、同期信号検出回路１０５に入力されるディスク再生信号を遅延させる遅延回路１０Ｄとを備えるようにしたので、欠落信号の幅で、同期検出の動作／停止の切換を行うことで同期検出を常に動作させた場合または欠落信号検出時同期検出を止める場合と比べてディスク読み取りエラーを軽減させることができるという効果がある。
【０１２３】
（実施の形態９）
図９は、本発明の実施の形態９による光ディスク再生装置の全体構成を示すブロック図である。
図９において、スピンドルモータ１１１と、ピックアップ１１２と、ＲＦアンプ１１３と、データスライサ１１４と、同期信号検出回路１１５と、同期信号内挿回路１１６と、同期信号未検出回数カウンタ１１７と、ＷＩＮＤＯＷ制御信号生成回路１１８と、ＷＩＮＤＯＷ生成回路１１９と、ＰＬＬ回路１１Ａと、ＲＦ未検出信号幅測定回路１１Ｂと、同期信号検出回路制御信号生成回路１１Ｃと、遅延回路１１Ｄとを備える。
【０１２４】
ディスク再生信号は、同期信号検出回路１１５によりＷＩＮＤＯＷ生成回路１１９で生成されたＷＩＮＤＯＷ内でのみディスク再生信号の同期信号を検出される。ＷＩＮＤＯＷ内でディスク再生信号の検出が行なわれなかった場合、同期信号内挿回路１１６により前のタイミングで検出したフレーム同期信号２０１を基にディスク再生信号に同期した抽出クロックによりカウント（ＣＤでは、抽出クロックの５８８個毎に同期信号が存在する）を行い、次のフレーム同期信号２０１の出力が予測されるタイミングで内挿の同期信号２０５を生成し後段に出力する。
【０１２５】
同期信号未検出回数カウンタ１１７では、同期信号検出回路１１５でＷＩＮＤＯＷ内でフレーム同期信号２０１が検出できなかった回数をカウントする。
【０１２６】
ＷＩＮＤＯＷ制御信号生成回路１１８では、同期信号未検出回数カウンタ１１７でカウントされた連続未検出回数２０３を基にＷＩＮＤＯＷ生成回路１１９で生成するＷＩＮＤＯＷ幅の制御を行う。
【０１２７】
ＷＩＮＤＯＷ生成回路１１９は、連続未検出回数２０３が第１の指定フレーム数以上連続した場合マスクＷＩＮＤＯＷ幅をα幅からβ幅に拡げる。さらに連続未検出回数２０３が第１の指定フレーム数より多い第２の指定フレーム数以上連続した場合、マスクＷＩＮＤＯＷ幅をβ幅から全開に拡げる。
【０１２８】
ＰＬＬ回路１１Ａは、ディスク再生信号に同期した抽出クロックを生成する。
ＲＦ未検出信号幅測定回路１１Ｂは、ＲＦアンプ１１３で検出したＲＦ未検出信号２０８を受け取り、ディスク再生信号に同期した抽出クロックを基準としてＲＦ未検出信号２０８の幅を測定する。
【０１２９】
同期検出制御信号生成回路１１Ｃは、ＲＦ未検出信号幅測定回路１１Ｂで測定したＲＦ未検出信号２０８の幅を基に同期信号検出回路１１５へ同期信号の検出の動作／停止を制御する同期検出制御信号２１２を生成する。ＲＦ未検出信号の幅が第２の指定フレーム数長さより大きい場合、同期検出停止を選択する。ＲＦ未検出信号の幅が第２の指定フレーム数長さ以下の場合、同期検出動作を選択する。
【０１３０】
遅延回路１１Ｄは、欠落信号幅を測定するタイミング分（第２の指定フレーム数分）同期信号検出に入力されるデータスライサ後の信号の遅延を行う。
【０１３１】
次に、動作を波形図を用いて説明する。
図５（ｂ）に示したように、第２の指定フレーム数より長い欠落信号Ｔ幅は欠落信号幅測定回路６Ｂによって欠落信号の幅を測定する。第２の指定フレーム数より長い欠落信号Ｔ幅の検出しよりＷＩＮＤＯＷ条件変更制御回路６Ｃは、ＷＩＮＤＯＷ条件変更制御信号を第１の状態から第２の状態に切り換える。欠落信号Ｔ内に含まれていた同期信号(2)、(3)、(4)、(5)は、遅延回路６Ｄにより第２の指定フレーム数分遅延して同期信号検出回路１１５に入力され、(2)'、(3)'、(4)'、(5)'として検出される。第２の指定フレーム数分、同期信号検出回路１１５に入力される同期信号を遅延させることで、欠落信号幅測定によって、切り換わったＷＩＮＤＯＷ条件が、欠落信号幅内にあったフレーム同期信号２０１に反映されることが可能になる。
【０１３２】
ＲＦ未検出信号２０８は、ディスクに欠陥等があった場合に発生することが多く、欠落信号２０７で検出されず、ＲＦ未検出信号２０８のみが検出される場合がある。ＲＦ未検出信号２０８の幅が第２の指定フレーム数長さより大きいＲＦ未検出信号２０８を検出した時、同期信号検出回路１０５によるフレーム同期信号２０１の検出を止めることで、ディスクの欠陥等で発生する擬似の同期信号の検出を防ぐことができ、同期検出停止の時は内挿の同期信号２０５で内部の訂正処理等の回路を動作させる。これにより、同期信号の引き込み時間は変わらないまま、欠陥等を持った光ディスクの読み取りエラーを低減させることができる。
【０１３３】
また、ＲＦ未検出信号幅が第２の指定フレーム数長さ以下の場合は、同期検出を止めないことでディスク再生信号に対しての追従性を保つことででき、サーボ外れ等で同期信号の再引き込みが必要な場合は、同期検出を止めている場合より引き込み開始を早くすることができる。
また、ディスクの異常を持った光ディスク再生時のディスク読み取りエラーの低減を行うことができる。
【０１３４】
このように本実施の形態によれば、ＲＦ信号２０６の未検出信号２０８の幅を検出するＲＦ未検出信号幅測定回路１１Ｂと、前記ＲＦ未検出信号幅測定回路１１Ｂで検出された信号幅により同期信号検出回路１１５の同期信号の検出を止める制御信号を生成する同期検出制御信号生成回路１１Ｃと、前記同期信号検出回路１１５に入力されるディスク再生信号を遅延させる遅延回路１１Ｄとをさらに備えるようにしたので、ＲＦ未検出信号の幅で、同期検出の動作／停止の切換を行うことで、同期検出を常に動作させた場合またはＲＦ未検出信号検出時同期検出を止める場合と比べてディスク読み取りエラーを軽減させることができるという効果がある。
【産業上の利用可能性】
【０１３５】
本発明にかかる光ディスク再生装置は、光ディスクの傷等の影響を軽減する同期信号検出回路または擬似同期信号除去フィルタまたは訂正処理用のフレームカウンタを有し、ＣＤプレーヤー等の光ディスク再生装置として有用である。また、ＲＦ信号を用いた信号処理を行う携帯電話等の通信分野にも応用できる。
【図面の簡単な説明】
【０１３６】
【図１（ａ）】本発明の実施の形態１による光ディスク再生装置の全体構成を示すブロック図である。
【図１（ｂ）】本発明の実施の形態１による光ディスク再生装置におけるタイミングチャートである。
【図１（ｃ）】本発明の実施の形態１による光ディスク再生装置におけるタイミングチャートである。
【図２（ａ）】本発明の実施の形態２による光ディスク再生装置の全体構成を示すブロック図である。
【図２（ｂ）】本発明の実施の形態２による光ディスク再生装置におけるタイミングチャートである。
【図３（ａ）】本発明の実施の形態３による光ディスク再生装置の全体構成を示すブロック図である。
【図３（ｂ）】本発明の実施の形態２による光ディスク再生装置におけるタイミングチャートである。
【図４（ａ）】本発明の実施の形態４による光ディスク再生装置の全体構成を示すブロック図である。
【図４（ｂ）】本発明の実施の形態４による光ディスク再生装置におけるタイミングチャートである。
【図５（ａ）】本発明の実施の形態５による光ディスク再生装置の全体構成を示すブロック図である。
【図５（ｂ）】本発明の実施の形態５による光ディスク再生装置におけるタイミングチャートである。
【図６】本発明の実施の形態６による光ディスク再生装置の全体構成を示すブロック図である。
【図７】本発明の実施の形態７による光ディスク再生装置の全体構成を示すブロック図である。
【図８】本発明の実施の形態８による光ディスク再生装置の全体構成を示すブロック図である。
【図９】本発明の実施の形態９による光ディスク再生装置の全体構成を示すブロック図である。
【図１０】従来の光ディスク再生装置の全体構成を示すブロック図である。
【図１１（ａ）】従来の光ディスク再生装置のタイミングチャートである。
【図１１（ｂ）】従来の光ディスク再生装置のタイミングチャートである。
【図１１（ｃ）】従来の光ディスク再生装置のタイミングチャートである。
【符号の説明】
【０１３７】
１０，２０，３０，４０，６０，７０，８０，１００，１１０，１６０  光ディスク
１１，２１，３１，４１，６１，７１，８１，１０１，１１１，１６１  スピンドルモータ
１２，２２，３２，４２，６２，７２，８２，１０２，１１２，１６２  ピックアップ
１３，２３，３３，４３，６３，７３，８３，１０３，１１３，１６３  ＲＦアンプ
１４，２４，３４，４４，６４，７４，８４，１０４，１１４，１６４  データスライサ
１５，２５，３５，４５，６５，７５，８５，１０５，１１５，１６５  同期信号検出回路
１６，２６，３６，４６，６６，７６，８６，１０６，１１６，１６６  同期信号内挿回路
１７，２７，３７，４７，６７，７７，８７，１０７，１１７，１６７  同期信号未検出回数カウンタ
１８，２８，３８，４８，６８，７８，８８，１０８，１１８，１６８  ＷＩＮＤＯＷ制御信号生成回路
１９，２９，３９，４９，６９，７９，８９，１０９，１１９，１６９  ＷＩＮＤＯＷ生成回路
４Ａ，６Ａ，７Ａ，８Ａ，１０Ａ，１１Ａ，１６Ａ  ＰＬＬ回路
４Ｂ，８Ｂ  ジッタ検出回路
４Ｃ  同期信号検出制御信号生成回路
５Ａ，１６９  擬似同期信号除去フィルタ
６Ｂ，１０Ｂ  欠落信号幅検出回路
６Ｃ，７Ｃ  ＷＩＮＤＯＷ条件制御回路
６Ｄ，７Ｄ，８Ｃ，１０Ｄ，１１Ｄ  遅延回路
７Ｂ，１１Ｂ  ＲＦ未検出信号幅検出回路
１０Ｃ，１１Ｃ  同期信号検出回路制御信号生成回路
２０１  フレーム同期信号
２０２  同期引き込み信号
２０３  連続未検出回数
２０４  ＷＩＮＤＯＷ条件変更制御信号
２０５  内挿後フレーム同期信号
２０６  ＲＦ信号
２０７  欠落信号
２０８  ＲＦ未検出信号
２０９  ジッタ
２１０  同期信号検出制御信号
２１１  訂正処理用フレームカウント信号
２１２  同期検出制御信号
【図１（ａ）】
2005228422.tif 000003
【図１（ｂ）】
2005228422.tif 000004
【図１（ｃ）】
2005228422.tif 000005
【図２（ａ）】
2005228422.tif 000006
【図２（ｂ）】
2005228422.tif 000007
【図３（ａ）】
2005228422.tif 000008
【図３（ｂ）】
2005228422.tif 000009
【図４（ａ）】
2005228422.tif 000010
【図４（ｂ）】
2005228422.tif 000011
【図５（ａ）】
2005228422.tif 000012
【図５（ｂ）】
2005228422.tif 000013
【図６】
2005228422.tif 000014
【図７】
2005228422.tif 000015
【図８】
2005228422.tif 000016
【図９】
2005228422.tif 000017
【図１０】
2005228422.tif 000018
【図１１（ａ）】
2005228422.tif 000019
【図１１（ｂ）】
2005228422.tif 000020
【図１１（ｃ）】
2005228422.tif 000021